【事件の表示】
　特許第３２６６５９７号「パチンコ機」の請求項１ないし４に係る特許に対する特許異議の申立てについて、次のとおり決定する。
【結　論】
　訂正を認める。
　特許第３２６６５９７号の請求項１に係る特許を取り消す。
【理　由】
１．手続きの経緯
　本件特許第３２６６５９７号の請求項１ないし４に係る発明についての出願は、平成１２年５月１９日に特許出願され、平成１４年１月１１日にその発明について特許権の設定登録がなされ、その後、本件請求項１ないし４に係る発明の特許に対し、高橋正人（以下「申立人１」という）、岡林茂（以下「申立人２」という）、及び町田彬（以下「申立人３」という）より特許異議の申立てがなされ、取消の理由を通知したところ、その指定期間内である平成１５年７月２２日に訂正請求がなされ、その後平成１５年８月１９日に申立人３より上申書が提出されたものである。
　
２．訂正の適否についての判断
２−１．訂正の内容
（１）訂正事項ａ
　特許明細書の特許請求の範囲の請求項１を（本件特許公報第１頁第１欄第２〜１４行）を、
　「【請求項１】 払出し装置を駆動制御することに基づいて払出し装置から上皿内にパチンコ球を払出すサブ制御手段と、
　前記サブ制御手段にパチンコ球の払出し指令を出力するメイン制御手段と、
　前記払出し装置からパチンコ球が放出されることに基づいて払出し信号を出力する払出しセンサとを備え、
　主電源の有効時には、前記サブ制御手段および前記メイン制御手段が前記払出しセンサからの払出し信号に基づいて
前記サブ制御手段のＲＡＭの払出しエリアおよび前記メイン制御手段のＲＡＭの賞球エリアに
　主電源の遮断時には、前記メイン制御手段
が取得している同一
が取得している同一
としての前記メイン制御手段のＲＡＭの賞球エリアおよび前記サブ制御手段のＲＡＭの払出しエリア
、
前記メイン制御手段は、前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している前記払出し情報をクリアするものであり、
前記サブ制御手段は、前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものであ
　
（２）訂正事項ｂ
　特許請求の範囲の請求項２ないし４を削除する。
　
（３）訂正事項ｃ
　特許明細書の段落【０００３】（本件特許公報第２頁第３欄第１７〜３６行）を、
　「【０００３】
【課題を解決するための手段】
　請求項１記載のパチンコ機は、払出し装置を駆動制御することに基づいて払出し装置から上皿内にパチンコ球を払出すサブ制御手段と、前記サブ制御手段にパチンコ球の払出し指令を出力するメイン制御手段と、前記払出し装置からパチンコ球が放出されることに基づいて払出し信号を出力する払出しセンサとを備え、主電源の有効時には前記サブ制御手段および前記メイン制御手段が前記払出しセンサからの払出し信号に基づいて
前記サブ制御手段のＲＡＭの払出しエリアおよび前記メイン制御手段のＲＡＭの賞球エリアに
が取得している同一
が取得している同一
としての前記メイン制御手段のＲＡＭの賞球エリアおよび前記サブ制御手段のＲＡＭの払出しエリア
、前記メイン制御手段は前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している前記払出し情報をクリアするものであり、前記サブ制御手段は前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものであ
　上記手段によれば、パチンコ球の払出し中に停電が生じると、メイン制御手段の払出し情報およびサブ制御手段の払出し情報が別個の記録部に保管される。このため、停電復旧時に一方の記録部から停電直前の払出し情報を読出し、停電直前の払出し情報に基づいて払出し装置を駆動制御できるので、停電に影響されることなく正確な個数のパチンコ球が払出される。」と訂正する。
　
（４）訂正事項ｄ
　特許明細書の段落【０００４】ないし【０００６】（本件特許公報第２頁第３欄第３７行〜第４欄第８行）を削除する。
　
（５）訂正事項ｅ
　特許明細書の段落【００９６】（本件特許公報第１０頁第２０欄第１７〜２２行）の「請求項２記載の手段によれば、主電源の復旧時にメイン制御手段の払出し情報とサブ制御手段の払出し情報との整合性を判断するようにしたので、メイン制御手段の払出し情報やサブ制御手段の払出し情報が停電中に不正に改竄されたことを簡単に発見できる。」、
　及び、特許明細書の段落【００９７】（本件特許公報第１０頁第２０欄第２３〜２８行）を削除する。
　
２−２．訂正の目的の適否、新規事項の有無及び拡張・変更の存否
　上記訂正事項ａは、請求項１について、
　「払出し情報」及び「払出し情報の別個の記録部」の構成を具体的に限定すると共に、メイン電源が投入されたときに初期化スイッチからの初期化信号が有ることを検出すると払出し情報をクリアする構成を付加するものであるから、特許請求の範囲の減縮を目的とした明細書の訂正に該当する。
　上記訂正事項ｂは、請求項２ないし４を削除するものであるから、特許請求の範囲の減縮を目的とした明細書の訂正に該当する。
　
　上記訂正事項ｃないしｅは、上記訂正事項ａ及びｂと整合を図るものであるから、明りょうでない記載の釈明を目的とした明細書の訂正に該当する。
　
　そして、上記訂正事項ａの訂正における構成は、特許明細書の段落番号【００３４】、【００３６】、【００４１】、【００４９】、【００５１】、【００５３】、【００５７】ないし【００５９】、【００６７】及び【００７０】に記載されているから、上記訂正事項ａないしｄは、新規事項の追加に該当せず、実質上特許請求の範囲を拡張し、又は変更するものでもない。
　
２−３．むすび
　以上のとおりであるから、上記訂正は、特許法１２０条の４第２項及び同条第３項において準用する特許法第１２６条第２項から第４項までの規定に適合するので、当該訂正を認める。
　
３．特許異議の申立てについての判断
３−１．本件発明
　上記２．で示したように上記訂正が認められるから、本件特許第３２６６５９７号の請求項１に係る発明（以下、「本件発明」という。）は、平成１５年７月２２日に提出された訂正請求書の特許請求の範囲の請求項１に記載された次のとおりのものである。
「【請求項１】　払出し装置を駆動制御することに基づいて払出し装置から上皿内にパチンコ球を払出すサブ制御手段と、
　前記サブ制御手段にパチンコ球の払出し指令を出力するメイン制御手段と、
　前記払出し装置からパチンコ球が放出されることに基づいて払出し信号を出力する払出しセンサとを備え、
　主電源の有効時には、前記サブ制御手段および前記メイン制御手段が前記払出しセンサからの払出し信号に基づいて前記サブ制御手段のＲＡＭの払出しエリアおよび前記メイン制御手段のＲＡＭの賞球エリアに同一の払出し情報を取得し、
　主電源の遮断時には、前記メイン制御手段が取得している同一の払出し情報および前記サブ制御手段が取得している同一の払出し情報が別個の記録部としての前記メイン制御手段のＲＡＭの賞球エリアおよび前記サブ制御手段のＲＡＭの払出しエリアに保管され、
　前記メイン制御手段は、前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している前記払出し情報をクリアするものであり、
　前記サブ制御手段は、前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものであることを特徴とするパチンコ機。」
　
３−２．特許法第２９条の２について
３−２−１．先願明細書に記載された発明
　当審で通知した取消しの理由で引用した先願４［特願２０００−１３９０８０号（特開２００１−３１４６１４号）（申立人３提出の甲第６号証）］明細書には、次の事項が記載されている。
(4-a).「【請求項２】停電から復帰したとき、前記賞球制御基板を前記主制御基板より早く立ち上げる請求項１に記載の遊技機であって、」（【特許請求の範囲】【請求項２】）
(4-b).「【０００５】・・・（１）主制御基板及び賞球制御基板で賞球を管理する場合において、電源基板から各制御基板に電源を供給し停電から復帰させるとき、当該制御基板における賞球の個数管理と、賞球駆動装置における賞球動作にずれが生じ、払い出されるべき賞球が払い出されないという課題、」（段落【０００５】）
(4-c).「【００１２】以上の請求項１に記載の弾球遊技機は、未払賞球個数記憶保持手段を備えることで、セーフ球タンクが不要となり、構成が簡素化され、停電等が発生したときには、払い出すべき景品球数のデータを確実に保持できる。また、誤差未然防止手段を備えることで、停電から復帰したとき、前記主制御基板及び賞球制御基板が前記賞球検出手段により検出する賞球個数に誤差が無くなるように働く。従って、賞球個数の誤差を無くすか或いは最小限度に抑制することで遊技者に不利益を与えない。さらに、払出制御基板で管理する賞球個数が何等かの原因により消滅した場合でも、主制御基板及び払出制御基板の両者によって賞球払出管理をしているので、主制御基板から送信されてくるデータに従って払出制御基板が賞球駆動装置を駆動させることが可能となり、遊技客に賞球の払い出しを実行することができる。」（段落【００１２】）
(4-d).「【００１８】・・・この構成により、遊技盤２２上の入賞口に遊技球の入賞があれば球タンク２７から誘導樋２８を介して所定個数の遊技球を払出し装置２９により前述した上皿１５に排出することができる。」（段落【００１８】）
(4-e).「【００２４】払出制御基板３１は、主制御基板３０と同様マイクロコンピュータを用いた論理演算回路として構成され、その入力回路には賞球払出スイッチ３１ａ、貸玉払出スイッチ３１ｂ、球切れスイッチ５２、及びエラー解除スイッチ５３が接続され、出力回路には玉切モータ３１ｃ、玉貸モータ３１ｄ、発射制御基板３３及びエラー表示部５４が接続されている。また、払出制御基板３１には、前述したカードリーダ１３が双方向に接続され、カードリーダ１３にはＣＲ精算表示基板４７が接続されている。賞球払出スイッチ３１ａは、主制御基板３０にも接続されている。玉切モータ３１ｃ及び玉貸モータ３１ｄは、前述した払出し装置２９に設けられ、誘導樋２８から供給される遊技球を下方に所定個数流下させるものである。玉切モータ３１ｃから払い出される遊技球は賞球払出スイッチ３１ａにより検出され、玉貸モータ３１ｄから払い出される遊技球は貸玉払出スイッチ３１ｂにより検出される。・・・
【００２５】遊技盤面上に打ち出された遊技球に対しては、賞球払出スイッチ３１ａを通過しても、主制御基板３０が検出状態をそのＲＡＭに格納できなかったものは無効とする。賞球払出球Ｓを検出する賞球払出スイッチ３１ａは、図４の通り払出制御基板３１と主制御基板３０の両方で検出しており、各基板共に検出状態をそれぞれのＲＡＭに格納できないものは無効とする。」（段落【００２４】及び【００２５】）
(4-f).「【００２７】前記構成により主制御基板３０から賞球払い出し指令のデータが送信されると、このデータを受信した払出制御基板３１は、未払の賞球データに送信されたデータが示す賞球個数を加算して新たな賞球データとして記憶し、所定個数の遊技球を賞球として払い出した後に賞球払出スイッチ３１ａにより検出された遊技球を記憶した賞球データから減算処理を実行して新たな賞球データとし、この賞球データの値が零になるまで払い出し処理を実行する。」（段落【００２７】）
(4-g).「【００３７】・・・ＲＡＭクリアスイッチ８０は、押しボタンタイプ等であり、押しボタンの押し下げに応答してＲＡＭクリア信号を検出するものであり、主制御基板３０の入力ポート９０を介して、ＣＰＵ６５のデータバスＤＢに接続され、また、払出制御基板３１の入力ポート９１を介して、ＣＰＵ６６のデータバスＤＢに接続されている。主制御基板３０及び払出制御基板３１のそれぞれのＲＡＭをクリアする場合、電源スイッチ（オン・オフ切替えタイプ）がオフの状態を確認し、ＲＡＭクリアスイッチ８０を押した状態にて、電源スイッチをオンにすると、主制御基板３０及び払出制御基板３１のＣＰＵ６５，６６は、リセット信号が解除された時点で、入力ポート９０，９１を介してＲＡＭクリア信号を検知し、それぞれの基板３０，３１は、制御が開始された時点でＲＡＭクリア信号を検知した場合、それぞれのＲＡＭの内容を初期化して、動作開始する。」（段落【００３７】）
(4-h).「【００４４】・・・従って、払出制御基板３１のＣＰＵ６６は、ＤＣ１２Ｖ電源の電圧が基準電圧ＬＶ２になってから約５２０ｍｓ後（ポイントＰ４）に動作を立ち上げることになる。・・・従って、主制御基板３０のＣＰＵ６５は、ＤＣ１２Ｖ電源の電圧が基準電圧ＬＶ２になってから約６００ｍｓ後（ポイントＰ５）に動作を立ち上げることになる。
【００４５】これより、主制御基板３０のＣＰＵ６５がＲＯＭに書き込まれたプログラムに従って遊技の制御を実行開始するときには、各サブ制御基板は既に遊技の制御を実行している。この結果、電源投入後直ちに、主制御基板３０のＣＰＵ６５が各サブ制御基板にデータを送信しても、各サブ制御基板は本来の制御を実行しているので確実にデータを受信することができる。」（段落【００４４】及び【００４５】）
(4-i).「【００４７】・・・主制御基板３０及び払出制御基板３１各々のＲＡＭはバッテリバックアップされており、電源遮断時もＲＡＭに記憶されたデータは所定時間（本実施形態では、約３日間）記憶保持される」（段落【００４７】）
(4-j).「【００５３】・・・一方、払出制御基板３１では、現状の賞球個数の払い出し状態及び貸し球の払い出し状態を示す各データをＲＡＭの所定領域に書き込む処理である。尚、本具体例では、主制御基板３０でも現状の賞球個数の払い出し状態をＲＡＭの所定領域に書き込む処理を実行する。」（段落【００５３】）
(4-k).「【００５６】次に主制御基板３０の電源投入時、電源復帰時の処理について図１５のフローチャートを参照して説明する。このルーチンは、リセット端子ＲＥＳがロウレベルからハイレベルに変化する信号の立ち上げ時に１回だけ実行される。電源投入時の処理（ステップＳ２１〜Ｓ２７）を行った後、通常時の処理を行い（ステップＳ２８）、バックアップ機能が作動中の場合に電源復帰時の処理（ステップＳ３０）を行う。まず、電源投入によりプログラムが起動した時は、ＲＡＭへのアクセス許可を設定をした後（ステップＳ２１）、バックアップ機能が作動中か否かの判定を行う（ステップＳ２２）。バックアップ機能が作動していなければ（ステップＳ２２：ＮＯ）、スタックポインタを設定し（ステップＳ２３）、主制御基板３０のＲＡＭの作業領域全てをゼロクリアし（ステップＳ２４）、通常時の処理が開始できるように作業領域を初期化し（ステップＳ２５）、特別図柄表示装置３２へ初期画面を表示させるコマンドを送信し（ステップＳ２６）、ランプ制御基板３４へ装飾表示のコマンドを送信し（ステップＳ２７）、通常時の処理を行う（ステップＳ２８）。一方、バックアップ機能が作動中ならば（ステップＳ２２：ＹＥＳ）、ＲＡＭクリア信号がオンであるか否かを判定し、ＲＡＭクリア信号がオンであれば（ステップＳ３１：ＹＥＳ）、前述のステップＳ２３〜Ｓ２８の処理を行う。ＲＡＭクリア信号がオフであれば（ステップＳ３１：ＮＯ）、電源復帰時の処理として、プログラムの状態を停電前の状態に戻すために、停電時に退避したスタックバッファの値をスタックポインタにセットし（ステップＳ３２）、ランプ制御基板３４に普通図柄用記憶表示のコマンドを送信し（ステップＳ３３）、ランプ制御基板３４に特別図柄用記憶表示のコマンドを送信し（ステップＳ３４）、ランプ制御基板３４に確率変動状態表示のコマンドを送信し（ステップＳ３５）、出力ポートの状態を復帰させ（ステップＳ３６）、停電時に退避した各レジスタを復帰させ（ステップＳ３７）、通常時の処理を行う（ステップＳ３８）。」（段落【００５６】）
(4-l).「【００７８】主制御基板３０及び払出制御基板３１で各々実行される図２２に示す「賞球減算ルーチン」では、先ず、払出未了データＰＤの各々のデータＰＤ１〜ＰＤ３の値が零でないか否かが判断される（ステップＳ３５０）。いずれかのデータＰＤ１〜ＰＤ３のデータが零でないとの判断が為されると、玉切モータ３１ｃが駆動制御され賞球の払い出しが指示される（ステップＳ３６０）。」（段落【００７８】）
(4-m).「【００７９】・・・本実施形態においては、主制御基板３０及び払出制御基板３１に各々搭載されたＲＡＭは電源基板５５のコンデンサによりバックアップされている。従って、停電が発生しても払出未了データＰＤ（ＰＤ１〜ＰＤ３）の内容は消去することがない。また、主制御基板３０から払出制御基板３１に送信される払出未了データＰＤと払出制御基板３１で計算される払出未了データＰＤとを照合することで、賞球の正確な管理をすることができる。」（段落【００７９】）
　
　以上の記載及び図１ないし２４によれば、先願４明細書には、以下の発明が記載されていると認められる。
「払出し装置２９を駆動制御することに基づいて払出し装置２９から上皿１５内に遊技球を払出す払出制御基板３１と、
　前記払出制御基板３１に賞球払い出し指令のデータを送信する主制御基板３０と、
　前記払出し装置２９から遊技球が払い出されることに基づいて検出状態を出力する賞球払出スイッチ３１ａとを備え、
　電源供給時には、前記払出制御基板３１および前記主制御基板３０が前記賞球払出スイッチ３１ａからの賞球払い出し指令に基づいて前記払出制御基板３１のＲＡＭおよび前記主制御基板３０のＲＡＭに同一の賞球データを取得し、
　電源遮断時には、前記前記主制御基板３０が取得している同一の賞球データおよび前記払出制御基板３１が取得している同一の賞球データが別個の記録部としての前記主制御基板３０のＲＡＭおよび前記払出制御基板３１のＲＡＭに記憶保持され、
　前記主制御基板３０は、ＲＡＭクリアスイッチ８０からのＲＡＭクリア信号の有無を電源が投入されたときには検出し、ＲＡＭクリア信号が有ることを検出したときには前記主制御基板３０のＲＡＭに記憶保持している前記賞球データを初期化するものであり、
　前記払出制御基板３１は、前記電源が投入されたときには前記主制御基板３０より早く立ち上げると共に前記ＲＡＭクリアスイッチ８０からのＲＡＭクリア信号の有無を検出し、ＲＡＭクリア信号が有ることを検出したときには前記払出制御基板３１のＲＡＭに記憶保持している前記賞球データを初期化するものである遊技機。」
　
３−２−２．対比判断
　本件発明と先願４に記載された発明とを比較すると、
　先願４に記載された発明における「払出し装置２９」、「上皿１５」、「遊技球」、「払出制御基板３１」、「賞球払い出し指令のデータを送信する」、「主制御基板３０」、「払い出される」、「検出状態」、「賞球払出スイッチ３１ａ」、「電源供給時」、「賞球払い出し指令」、「ＲＡＭ」、「ＲＡＭ」、「賞球データ」、「電源遮断時」、「記憶保持」、「ＲＡＭクリアスイッチ８０」、「ＲＡＭクリア信号」、「電源」、「初期化する」、「より早く立ち上げる」、「遊技機」がそれぞれの機能に照らし、
　本件発明の「払出し装置」、「上皿」、「パチンコ球」、「サブ制御手段」、「パチンコ球の払出し指令を出力する」、「メイン制御手段」、「放出される」、「払出し信号」、「払出しセンサ」、「主電源の有効時」、「払出し信号」、「ＲＡＭの払出しエリア」、「ＲＡＭの賞球エリア」、「払出し情報」、「主電源の遮断時」、「保管」、「初期化スイッチ」、「初期化信号」「メイン電源」、「クリアする」、「先立って起動する」、「パチンコ機」にそれぞれ相当する。
　したがって、両者は「払出し装置を駆動制御することに基づいて払出し装置から上皿内にパチンコ球を払出すサブ制御手段と、
　前記サブ制御手段にパチンコ球の払出し指令を出力するメイン制御手段と、
　前記払出し装置からパチンコ球が放出されることに基づいて払出し信号を出力する払出しセンサとを備え、
　主電源の有効時には、前記サブ制御手段および前記メイン制御手段が前記払出しセンサからの払出し信号に基づいて前記サブ制御手段のＲＡＭの払出しエリアおよび前記メイン制御手段のＲＡＭの賞球エリアに同一の払出し情報を取得し、
　主電源の遮断時には、前記メイン制御手段が取得している同一の払出し情報および前記サブ制御手段が取得している同一の払出し情報が別個の記録部としての前記メイン制御手段のＲＡＭの賞球エリアおよび前記サブ制御手段のＲＡＭの払出しエリアに保管され、
　前記メイン制御手段は、初期化スイッチからの初期化信号の有無をメイン電源が投入されたときには検出し、初期化信号が有ることを検出したときには前記メイン制御手段のＲＡＭの賞球エリアに保管している前記払出し情報をクリアするものであり、
　前記サブ制御手段は、前記メイン電源が投入されたときには前記メイン制御手段に先立って起動すると共に前記初期化スイッチからの初期化信号の有無を検出し、初期化信号が有ることを検出したときには前記サブ制御手段のＲＡＭの払出しエリアに保管している前記払出し情報をクリアするものであることを特徴とするパチンコ機。」である点で一致し、
　次の点で一応相違する。
　
（Ａ）本件発明は、「前面扉の開放状態で前方から操作される初期化スイッチ」を設けた構成であるのに対して、
　先願４に記載された発明は、初期化スイッチを、前面扉の開放状態で前方から操作されるところに設けた構成であるかどうか、明らかでない点。
　
（Ｂ）本件発明は、「メイン制御手段は、初期化スイッチからの初期化信号の有無をメイン電源が投入されたときには
常に
常に
　先願４に記載された発明は、初期化スイッチからの初期化信号の有無を
常に
　
　上記相違点（Ａ）及び（Ｂ）について検討する。
　
相違点（Ａ）について
　パチンコ機において、初期化スイッチを前面扉の開放状態で前方から操作されるように構成とすることは、周知であるから（例えば、特開平１０−３３３１号公報［クリアスイッチ６１４が初期化スイッチに相当。【００３９】、【０１３０】、【図５】、【図１３】等参照］、特開平１１−１８８１３８号公報［キースイッチ１５が初期化スイッチに相当。【００８６】及び【図１】等参照］、特開昭６０−５８１８６号公報［クリアスイッチ７が初期化スイッチに相当。特許請求の範囲、第２頁右下欄第６〜９行、第１図等参照］がある。）、
　上記相違点（Ａ）は、設計上の微差にすぎない。
　
相違点（Ｂ）について
　先願４に記載された発明も、メイン制御手段及びサブ制御手段がメイン電源が投入されたときに初期化スイッチからの初期化信号の有無を検出する構成であり、
　パチンコ機において、メイン電源が投入されたときに初期化スイッチからの初期化信号の有無を
常に
　上記相違点（Ｂ）は、設計上の微差にすぎない。
　
　したがって、本件発明は上記先願４に記載された発明と同一である。
　
３−２−３．むすび
　よって、請求項１に係る発明は、特許法第２９条の２の規定により特許を受けることができない。
　
３−３．特許法第２９条第２項について
３−３−１．刊行物一覧
刊行物１：特開２０００−２４２４３号公報（申立人３提出の甲第１号証）
刊行物２：特開平１０−２３００６２号公報（申立人３提出の甲第２号証）
　
３−２−２．引用刊行物に記載された発明
（１）当審で通知した取消しの理由で引用した刊行物１［特開２０００−２４２４３号公報（申立人３提出の甲第１号証）］には、次の事項が記載されている。
(1-a).「【００１３】図１に示すように、パチンコ遊技機１は、額縁状に形成されたガラス扉枠２を有する。ガラス扉枠２の下部表面には打球供給皿３がある。打球供給皿３の下部には、打球供給皿３からあふれた景品玉を貯留する余剰玉受皿４と打球を発射する打球操作ハンドル（操作ノブ）５が設けられている。」（段落【００１３】）
(1-b).「【００３１】賞球払出制御を行うために、入賞球検出スイッチ１２２、始動口スイッチ１７およびカウントスイッチ２３からの信号が、主制御基板３１に送られる。主制御基板３１に入賞球検出スイッチ１２２のオン信号が送られると、主制御基板３１から賞球基板３７に賞球個数信号が送られる。入賞があったことは入賞球検出スイッチ１２２で検出されるが、その場合に、主制御基板３１から、賞球基板３７に賞球個数信号が与えられる。」（段落【００３１】）
(1-c).「【００３５】・・・そのような状態で入賞球が発生して入賞球が流下路１２０に流入すると、先頭の入賞球Ｐ１は、入賞球検出スイッチ１２２に形成されている通過穴に入った状態で玉止部１３０ａによって停留される。すると、入賞球検出スイッチ１２２は、主制御基板３１の基本回路５３に検出信号を送る。すると、主制御基板３１の基本回路５３は、賞球基板３７に賞球個数信号を出力する。その結果、賞球基板３７における賞球制御用マイクロコンピュータの制御によって玉払出装置が９７が駆動制御されて所定個数の景品玉の払出が行われる。」（段落【００３５】）
(1-d).「【００４５】図７に示すように、玉払出装置９７の賞球機構部分９７Ａは、２つのケース１９８ａ，１９８ｂを有する。ケース１９８ａの左右２箇所に、玉払出装置９７の設置位置上部に設けられた位置決め突片２００（図６参照）に当接される係合突部２８０ａ，２８０ｂが設けられている。また、それぞれのケース１９８ａ，１９８ｂには、玉供給路２８１ａ，２８１ｂが形成されている。玉供給路２８１ａ，２８１ｂは湾曲面２８２ａ，２８２ｂを有し、湾曲面２８２ａ，２８２ｂの終端の下方には、玉送り水平路２８４ａ，２８４ｂが形成されている。」（段落【００４５】）
(1-e).「【００５０】また、玉送り水平路２８４ａ，２８４ｂの下方には、例えば近接スイッチによる賞球カウントスイッチ３０１Ａ，３０１Ｂが設けられている。玉送り水平路２８４ａ，２８４ｂから１個の景品玉が落下する毎に、賞球カウントスイッチ３０１Ａ，３０１Ｂがオンする。従って、賞球カウントスイッチ３０１Ａ，３０１Ｂの検出信号によって、実際に払い出された景品玉の数を計数することができる。」（段落【００５０】）
(1-f).「【００７７】さらに、賞球カウントスイッチ３０１Ａ，３０１Ｂからの検出信号も、中継基板７２および中継基板７１を介して主制御基板３１のＩ／Ｏポート５７に入力される。」（段落【００７７】）
(1-g).「【００８０】さらに、賞球制御基板３７には、中継基板７２を介して、賞球カウントスイッチ３０１Ａ，３０１Ｂの検出信号および玉貸しカウントスイッチ３０１Ｃの検出信号が入力される。」（段落【００８０】）
(1-h).「【００９４】・・・なお、カウントスイッチ２３および始動口スイッチ１７がオンしたことは、図１４に示されたスイッチ処理（ステップＳ１０）で検出され、所定のＲＡＭ領域にそのことが記憶されている。
【００９５】そして、ＣＰＵ５６は、賞球予定数に応じた賞球個数信号を出力する（ステップＳ１２２）。なお、賞球制御基板３７における賞球制御ＣＰＵ３７２は、賞球個数信号で指定された個数の賞球払出制御を行う。」（段落【００９４】及び【００９５】）
(1-i).「【００９８】・・・なお、賞球カウントスイッチ（ａ）および賞球カウントスイッチ（ｂ）の出力は、実際には賞球カウントスイッチ３０１Ａ，３０１Ｂの出力のオア（ＯＲ）をとったものに相当する。また、賞球カウントスイッチ（ａ）の出力は主制御基板３１の側での信号であり、賞球カウントスイッチ（ｂ）の出力は賞球制御基板３７の側での信号であるが（図１５参照）、ともに賞球カウントスイッチ３０１Ａ，３０１Ｂの出力のオアをとったものである。」（段落【００９８】）
(1-j).「【０１１４】・・・なお、払出予定数は、賞球制御用マイクロコンピュータにおけるＲＡＭ領域に設定される。そして、賞球制御用ＣＰＵ３７１は、タイマＴ１１を起動する（ステップＳ２０６）。」（段落【０１１４】）
　
　以上の記載及び図１ないし２７によれば、刊行物１には、以下の発明が記載されていると認められる。
「玉払出装置９７を駆動制御することに基づいて玉払出装置９７から打球供給皿３内に景品玉を払出す賞球基板３７と、
　前記賞球基板３７に景品玉の賞球個数信号を送る主制御基板３１と、
　前記玉払出装置９７から景品玉が放出されることに基づいて検出信号を出力する賞球カウントスイッチ３０１Ａ，３０１Ｂとを備え、
　電源の有効時には、前記賞球基板３７および前記主制御基板３１が前記賞球カウントスイッチ３０１Ａ，３０１Ｂからの検出信号に基づいて前記賞球基板３７のＲＡＭ領域および前記主制御基板３１のＲＡＭ領域に同一の払出し情報を取得するパチンコ機。」
　
（２）当審で通知した取消しの理由で引用した刊行物２［特開平１０−２３００６２号公報（申立人３提出の甲第２号証）］には、次の事項が記載されている。
(2-a).「【００１１】カウントアップ手段３ｃは、設定賞球払い出し数系列センサー５からの出力信号により、その出力信号に対応する設定賞球払い出し数系列の入賞数を系列毎の系列未処理入賞数カウントとしてＲＡＭ３ｋ又は図外のカウンターに加算記憶する（カウントアップ）。」（段落【００１１】）
(2-b).「【００２７】枠制御回路９は、賞球払い出し可能確認手段９ａ、入賞球確認手段９ｂ、賞球払い出し手段９ｃ等の各種の機能部を有し、ＣＰＵが遊技制御回路３からの設定賞球払い出し数信号を設定賞球払い出し数毎に、例えば、通常のパチンコ機の賞球個数として認められている範囲内の５個から１５個までの何れか毎に分類し、その設定賞球払い出し数に該当するＲＡＭ９ｅ内のエリアに加算記憶（未払い出し処理カウント）し、ＲＯＭ９ｄに予め設定したプログラムを実行することにより上記各種の機能部が制御動作を行う。」（段落【００２７】）
(2-c).「【００３８】前記実施形態では、メモリとしてバックアップ電源を持たないＲＡＭ３ｋ，９ｅを図示して説明したが、ＲＡＭ３ｋ，９ｅにバックアップ電源を備えれば、停電等の電源供給遮断後に、賞球払い出し動作を自動的に行わせることもできる。」（段落【００３８】）
　
３−３−３．対比判断
　本件発明と刊行物１に記載された発明とを比較すると、
　刊行物１に記載された発明における「玉払出装置９７」、「打球供給皿３」、「景品玉」、「賞球基板３７」、「賞球個数信号」、「送る」、「主制御基板３１」、「検出信号」、「賞球カウントスイッチ３０１Ａ，３０１Ｂ」、「電源」、「ＲＡＭ領域」、「ＲＡＭ領域」が機能に照らしそれぞれ、
　本件発明１の「払出し装置」、「上皿」、「パチンコ球」、「サブ制御手段」、「払出し指令」、「出力する」、「メイン制御手段」、「払出し信号」、「払出しセンサ」、「主電源」、「ＲＡＭの払出しエリア」、「ＲＡＭの賞球エリア」に相当する。
　両者は「払出し装置を駆動制御することに基づいて払出し装置から上皿内にパチンコ球を払出すサブ制御手段と、
　前記サブ制御手段にパチンコ球の払出し指令を出力するメイン制御手段と、
　前記払出し装置からパチンコ球が放出されることに基づいて払出し信号を出力する払出しセンサとを備え、
　主電源の有効時には、前記サブ制御手段および前記メイン制御手段が前記払出しセンサからの払出し信号に基づいて前記サブ制御手段のＲＡＭの払出しエリアおよび前記メイン制御手段のＲＡＭの賞球エリアに同一の払出し情報を取得するパチンコ機。」である点で一致し、
　次の点で相違する。
　
（Ｃ）本件発明は、「主電源の遮断時には、メイン制御手段が取得している同一の払出し情報およびサブ制御手段が取得している同一の払出し情報が別個の記録部としての前記メイン制御手段のＲＡＭの賞球エリアおよび前記サブ制御手段のＲＡＭの払出しエリアに保管され」る構成であるのに対して、
　刊行物１に記載された発明は、上記構成でない点。
　
（Ｄ）本件発明は、「メイン制御手段は、前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している払出し情報をクリアするものであり、
　前記サブ制御手段は、前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものである」構成であるのに対して、
　刊行物１に記載された発明は、上記構成でない点。
　
　上記相違点（Ｃ）ないし（Ｄ）について検討する。
相違点（Ｃ）について
　パチンコ機において、「主電源の遮断時には、メイン制御手段が取得している同一の払出し情報およびサブ制御手段が取得している同一の払出し情報が別個の記録部としての前記メイン制御手段のＲＡＭの賞球エリアおよび前記サブ制御手段のＲＡＭの払出しエリアに保管され」る構成とすることは、刊行物２に記載されており、
　刊行物１に記載された発明に上記刊行物２に記載された構成を適用して上記相違点（Ｃ）に係る構成とすることは、当業者が容易に成し得る事項にすぎない。
　
相違点（Ｄ）について
　パチンコ機において、初期化スイッチを前面扉の開放状態で前方から操作されるように構成とすることは周知であり（例えば、特開平１０−３３３１号公報［クリアスイッチ６１４が初期化スイッチに相当。【００３９】、【０１３０】、【図５】、【図１３】等参照］、特開平１１−１８８１３８号公報［キースイッチ１５が初期化スイッチに相当。【００８６】及び【図１】等参照］、特開昭６０−５８１８６号公報［クリアスイッチ７が初期化スイッチに相当。特許請求の範囲、第２頁右下欄第６〜９行、第１図等参照］がある。）、
　パチンコ機において、「サブ制御手段は、メイン電源が投入されたときにはメイン制御手段に先立って起動する」構成とすることも周知である（一例として、特開平１１−１０４３１２号公報［【特許請求の範囲】【請求項１】、【００５５】等参照］がある。）。
　また、パチンコ機において、初期化スイッチからの初期化信号の有無をメイン電源が投入されたときには常に検出し、初期化信号が有ることを検出したときには、制御手段のＲＡＭの賞球エリアに保管している払出し情報をクリアする構成とすることも周知であるから（例えば、特開平１０−３３３１号公報［【０１７８】、【０１８６】、【０１９５】ないし【０１９９】、【図１８】、【図１９】等参照］、特開平１１−１８８１３８号公報［【００８４】、【００８６】、【図３２】等参照］がある。）、
　刊行物１に記載された発明に上記周知技術を施して上記相違点（Ｄ）に係る構成とすることは、当業者が容易に成し得る事項にすぎない。
　
　したがって、本件発明は上記刊行物１及び２に記載された発明、及び、上記周知技術に基づいて当業者が容易に発明をすることができたものである。
　そして、本件発明の奏する効果は上記刊行物１及び２に記載された発明、及び、上記周知技術から当業者が容易に予測し得るものであって、格別顕著なものとも認められない。
　
３−３−４．むすび
　よって、請求項１に係る発明は、特許法第２９条第２項の規定により特許を受けることができない。
　
３−４．むすび
　以上のとおりであるから、請求項１に係る発明は、特許法第２９条の２の規定、及び、特許法第２９条第２項の規定により、特許を受けることができない。
　したがって、請求項１に係る発明の特許は、特許法第１１３条第２号に該当し、取り消されるべきものである。
　よって、結論のとおり決定する。
【異議決定日】
平成１５年９月２６日（２００３．９．２６）
【訂正の要旨】
審決（決定）の【理由】欄参照。
（５４）【発明の名称】
パチンコ機
（５７）【特許請求の範囲】
　【請求項１】　払出し装置を駆動制御することに基づいて払出し装置から上皿内にパチンコ球を払出すサブ制御手段と、
　前記サブ制御手段にパチンコ球の払出し指令を出力するメイン制御手段と、
　前記払出し装置からパチンコ球が放出されることに基づいて払出し信号を出力する払出しセンサとを備え、
　主電源の有効時には、前記サブ制御手段および前記メイン制御手段が前記払出しセンサからの払出し信号に基づいて
前記サブ制御手段のＲＡＭの払出しエリアおよび前記メイン制御手段のＲＡＭの賞球エリアに
　主電源の遮断時には、前記メイン制御手段
が取得している同一
が取得している同一
としての前記メイン制御手段のＲＡＭの賞球エリアおよび前記サブ制御手段のＲＡＭの払出しエリア
、
　
前記メイン制御手段は、前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している前記払出し情報をクリアするものであり、
　
前記サブ制御手段は、前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものであ
【発明の詳細な説明】
　【０００１】
　【発明の属する技術分野】
　本発明は、メイン制御手段からサブ制御手段にパチンコ球の払出し指令を出力する構成のパチンコ機に関する。
　【０００２】
　【発明が解決しようとする課題】
　上記パチンコ機には、サブ制御手段が払出し指令を検出することに基づいてパチンコ球の払出し装置を駆動し、払出し装置から上皿内に指令内容に応じた個数のパチンコ球を払出す構成のものがある。この構成の場合、払出し装置からパチンコ球が放出されることに基づいて払出しセンサからサブ制御手段に払出し信号を与え、サブ制御手段が払出し信号に基づいて払出し情報を取得しながら払出し装置を駆動している。このため、パチンコ球の払出し中に停電が生じると、払出し情報がなくなるので、指令内容に応じた正確な個数のパチンコ球を払い出すことができなくなる。
　本発明は上記事情に鑑みてなされたものであり、その目的は、停電に影響されることなく正確な個数のパチンコ機を払出すことができるパチンコ機を提供することにある。
　【０００３】
　【課題を解決するための手段】
　請求項１記載のパチンコ機は、払出し装置を駆動制御することに基づいて払出し装置から上皿内にパチンコ球を払出すサブ制御手段と、前記サブ制御手段にパチンコ球の払出し指令を出力するメイン制御手段と、前記払出し装置からパチンコ球が放出されることに基づいて払出し信号を出力する払出しセンサとを備え、主電源の有効時には前記サブ制御手段および前記メイン制御手段が前記払出しセンサからの払出し信号に基づいて
前記サブ制御手段のＲＡＭの払出しエリアおよび前記メイン制御手段のＲＡＭの賞球エリアに
が取得している同一
が取得している同一
としての前記メイン制御手段のＲＡＭの賞球エリアおよび前記サブ制御手段のＲＡＭの払出しエリア
、前記メイン制御手段は前面扉の開放状態で前方から操作される初期化スイッチからの初期化信号の有無をメイン電源が投入されたときには常に検出し、初期化信号が有ることを検出したときには前記メイン制御手段のＲＡＭの賞球エリアに保管している前記払出し情報をクリアするものであり、前記サブ制御手段は前記メイン電源が投入されたときには前記メイン制御手段に先立って起動すると共に前記初期化スイッチからの初期化信号の有無を常に検出し、初期化信号が有ることを検出したときには前記サブ制御手段のＲＡＭの払出しエリアに保管している前記払出し情報をクリアするものであ
　上記手段によれば、パチンコ球の払出し中に停電が生じると、メイン制御手段の払出し情報およびサブ制御手段の払出し情報が別個の記録部に保管される。このため、停電復旧時に一方の記録部から停電直前の払出し情報を読出し、停電直前の払出し情報に基づいて払出し装置を駆動制御できるので、停電に影響されることなく正確な個数のパチンコ球が払出される。
　【０００４】
　【０００５】
　【０００６】
　【０００７】
　【発明の実施の形態】
　以下、本発明の一実施例を図面に基づいて説明する。パチンコホールの台島には、図９に示すように、外枠１が設置されている。この外枠１は前後面が開口する四角筒状をなすものであり、外枠１の前面には、図８に示すように、前面扉２が左側辺部を中心に回動可能に装着されている。また、前面扉２の前面には横長な長方形状の皿板３が左側辺部を中心に回動可能に装着されている。この皿板３の前面には上皿４が固定されており、上皿４内にはパチンコ球Ｐ（図７参照）が貯溜されている。
　【０００８】
　前面扉２の前面には、図８に示すように、右下部に位置して発射ハンドル５が回動可能に装着されており、発射ハンドル５の後方には、図９に示すように、発射モータ６が装着されている。この発射モータ６の回転軸にはクランク機構を介して打球槌（いずれも図示せず）が連結されており、発射ハンドル５が図８の時計回り方向へ回動操作されると、発射モータ６に電源が与えられ、打球槌が上皿４内のパチンコ球Ｐを上皿４内から弾き出す。
　【０００９】
　前面扉２の前面には、図８に示すように、矩形枠状の窓枠７が左側辺部を中心に回動可能に装着されており、窓枠７の内周面には透明なガラス窓（図示せず）が保持されている。また、前面扉２の後面には額縁状の機構盤（図示せず）が固定されている。この機構盤には遊技盤８が保持されており、遊技盤８は窓枠７のガラス窓により前方から覆われている。また、前面扉２の前面には右側部に位置して枠鍵９が装着されており、枠鍵９は前面扉２を外枠１に密着した閉鎖状態にロックし、しかも、皿板３および窓枠７を前面扉２に密着した閉鎖状態にロックしている。
　【００１０】
　遊技盤８の前面には外レール１０および内レール１１が固定されており、打球槌により弾かれたパチンコ球Ｐは外レール１０および内レール１１間を通して遊技盤８内の上部に放出される。また、遊技盤８の前面には複数の障害釘１２が打込まれており、遊技盤８内の上部に放出されたパチンコ球Ｐは複数の障害釘１２に当りながら落下する。
　【００１１】
　遊技盤８の前面には略円形状の表示用台板１３が固定されており、表示用台板１３には特別図柄表示装置１４が保持されている。この特別図柄表示装置１４はカラー液晶表示器からなるものであり、遊技盤８の前面には特別図柄表示装置１４の下方に位置して特別図柄始動口１５が固定されている。この特別図柄始動口１５は始動口および入賞口に相当するものであり、上面が開口するポケット状をなしている。
　【００１２】
　特別図柄始動口１５内には始動センサおよび入賞センサに相当する特別図柄始動センサ１６（図６参照）が固定されている。この特別図柄始動センサ１６は近接スイッチからなるものであり、特別図柄始動口１５内にパチンコ球Ｐが入球したことを検出して特別図柄始動信号を出力する。この特別図柄始動信号は始動信号および入賞信号に相当するものであり、以下、特別図柄始動信号を特図始動信号と称する。
　【００１３】
　遊技盤８の後面には、図９に示すように、センタカバー１７が固定されている。このセンタカバー１７の後面にはメイン回路ボックス１８が固定されており、メイン回路ボックス１８内にはメイン回路基板１９が収納されている。このメイン回路基板１９にはメイン制御装置２０が搭載されており、メイン制御装置２０の入力端子には、図６に示すように、特別図柄始動センサ１６が電気的に接続されている。このメイン制御装置２０はメイン制御手段に相当するものであり、マイクロコンピュータを主体に構成された始動処理部２１，判定処理部２２，賞球処理部２３を有している。
　【００１４】
　表示用台板１３の後面には、図９に示すように、表示回路基板２４が固定されており、表示回路基板２４はセンタカバー１７により後方から覆われている。この表示回路基板２４には表示制御装置２５が搭載されており、表示制御装置２５の出入力端子には、図６に示すように、メイン制御装置２０の入出力端子が電気的に接続され、表示制御装置２５の出力端子にはドライブ回路２６を介して特別図柄表示装置１４が電気的に接続されている。この表示制御装置２５はマイクロコンピュータを主体に構成されたものであり、特別図柄表示装置１４を駆動制御することに基づいて特別図柄表示装置１４に数字図柄を横３列に表示する。
　【００１５】
　遊技盤８の前面には、図８に示すように、特別図柄始動口１５の下方に位置して略半円形状の入賞口用台板２７が固定されており、入賞口用台板２７には大入賞口２８が形成されている。この大入賞口２８は入賞口に相当するものであり、前面が開口する四角筒状をなしている。
　【００１６】
　入賞口用台板２７には扉２９が軸３０を中心に回動可能に装着されており、扉２９は大入賞口ソレノイド３１（図６参照）のプランジャにクランク機構（図示せず）を介して連結されている。この大入賞口ソレノイド３１は入賞口用台板２７の後面に固定されたものであり、大入賞口ソレノイド３１の断電時には、図８に示すように、扉２９が垂直状態に回動することに基づいて大入賞口２８を閉鎖し、大入賞口ソレノイド３１の通電時には扉２９が水平状態に回動することに基づいて大入賞口２８を開放する。
　【００１７】
　大入賞口ソレノイド３１は、図６に示すように、ドライブ回路３２を介してメイン制御装置２０の出力端子に電気的に接続されており、メイン制御装置２０はドライブ回路３２を通して大入賞口ソレノイド３１に励磁電源を設定時間（例えば３０秒）だけ与えることに基づいて大入賞口２８を設定時間だけ開放する。この開放動作はラウンド動作と称されるものであり、設定回数（例えば１５ラウンド）だけ繰返される（大当り動作）。
　【００１８】
　メイン制御装置２０の入力端子には近接スイッチからなる大入賞口センサ３３が電気的に接続されている。この大入賞口センサ３３は大入賞口２８内に固定されたものであり、大入賞口２８内にパチンコ球Ｐが入球したことを検出して入賞信号を出力する。尚、大入賞口センサ３３は入賞センサに相当するものである。　前面扉２の後面には、図９に示すように、メインセット３４が前面扉２と同一の側辺部を中心に回動可能に装着されている。このメインセット３４はセンタカバー１７を囲う矩形枠状をなすものであり、メインセット３４の後面には上端部に位置して球タンク３５が固定され、球タンク３５内にはパチンコ球Ｐが貯溜されている。また、メインセット３４の後面にはタンクレール３６および払出し装置３７が固定されている。この払出し装置３７はタンクレール３６を介して球タンク３５内に繋がるものであり、下記のように構成されている。
　【００１９】
＜払出し装置３７について＞
　メインセット３４には、図７に示すように、払出しケース３８が固定されており、払出しケース３８内には球通路３９が形成されている。この球通路３９の上端部はタンクレール３６内に繋がっており、球通路３９内には球タンク３５内からタンクレール３６を通してパチンコ球Ｐが一列に充填されている。この球通路３９の上下方向中間部にはスプロケット４０が軸４１を中心に回動可能に装着されており、スプロケット４０の外周部には凹状をなす複数の球受け部４２が形成されている。
　【００２０】
　払出しケース３８内には、図９に示すように、パルスモータからなる球払出しモータ４３が配設されている。この球払出しモータ４３の回転軸には図７のスプロケット４０が連結されており、球払出しモータ４３の停止時には、図７に実線で示すように、球通路３９内の最下部のパチンコ球Ｐがスプロケット４０の１個の球受け部４２内に保持されている。この状態で球払出しモータ４３の回転軸が単位量だけ回転すると、図７に二点鎖線で示すように、スプロケット４０が矢印Ａ方向へ回動することに基づいて１個の球受け部４２内から１個のパチンコ球Ｐが放出され、球通路３９の下端部を通して払出しケース３８内から払出される。払出し装置３７は以上のように構成されている。
　【００２１】
　メインセット３４の後面には、図９に示すように、賞球回路ボックス４４が固定されている。この賞球回路ボックス４４内には賞球回路基板４５が収納されており、賞球回路基板４５にはサブ制御手段に相当する賞球制御装置４６が搭載されている。この賞球制御装置４６は、図６に示すように、マイクロコンピュータを主体に構成された払出し処理部４７を有するものであり、賞球制御装置４６の入出力端子にはメイン制御装置２０の出入力端子が電気的に接続されている。この賞球制御装置４６の出力端子にはドライブ回路４８を介して球払出しモータ４３が電気的に接続されており、賞球制御装置４６の払出し処理部４７は球払出しモータ４３を駆動制御することに基づいて払出し装置３７内からパチンコ球Ｐを払出す。
　【００２２】
　メインセット３４には、図９に示すように、球通路４９が設けられている。この球通路４９は払出し装置３７と上皿４とを繋ぐものであり、払出し装置３７内から払出されたパチンコ球Ｐは球通路４９を通して上皿４内に供給される。また、前面扉２の前面には、図８に示すように、下皿５０が固定されている。この下皿５０は上皿４内に通じるものであり、上皿４内から溢れたパチンコ球は上皿４内から下皿５０内に零れ落ちる。
　【００２３】
　払出し装置３７の球通路３９内には、図７に示すように、下端部に位置して払出しセンサ５１が固定されており、払出しセンサ５１は、図６に示すように、メイン制御装置２０の入力端子および賞球制御装置４６の入力端子に電気的に接続されている。この払出しセンサ５１は近接スイッチからなるものであり、払出し装置３７から上皿４内に払出されるパチンコ球Ｐを検出することに基づいてメイン制御装置２０および賞球制御装置４６に払出し信号を出力する。
　【００２４】
　メインセット３４の後面には、図９に示すように、上端部に位置して電源基板５２が固定されており、電源基板５２には一対の電源コード５３が電気的に接続されている。これら電源コード５３はパチンコールの電源装置（図示せず）に電気的に接続されたものであり、電源基板５２には電源コード５３を通してＡＣ２４Ｖの主電源Ｖｉｎが与えられる。この電源基板５２には、図１に示すように、発射モータ６が電気的に接続されており、主電源Ｖｉｎの有効時には発射ハンドル５が回動操作されることに基づいて電源基板５２から発射モータ６にＡＣ２４Ｖの駆動電源Ｖｏｕｔ１が印加される。
　【００２５】
　電源基板５２には整流回路５４が搭載されており、整流回路５４は主電源ＶｉｎをＤＣ２４Ｖの直流電源Ｖｏｕｔ２に変換する。また、電源基板５２には昇圧平滑回路５５が搭載されている。この昇圧平滑回路５５は２４Ｖの直流電源Ｖｏｕｔ２をＤＣ３２Ｖの駆動電源Ｖｏｕｔ３に変換するものであり、主電源Ｖｉｎの有効時にはメイン制御装置２０および賞球制御装置４６が大入賞口ソレノイド３１および球払出しモータ４３に駆動電源Ｖｏｕｔ３を印加する。
　【００２６】
　電源基板５２にはＤＣ／ＤＣ回路５６が搭載されている。このＤＣ／ＤＣ回路５６はＤＣ２４Ｖの直流電源Ｖｏｕｔ２をＤＣ１２Ｖの駆動電源Ｖｏｕｔ４に変換するものであり、主電源Ｖｉｎの有効時にはＤＣ／ＤＣ回路５６から特別図柄表示装置１４，特別図柄始動センサ１６，大入賞口センサ３３，払出しセンサ５１に駆動電源Ｖｏｕｔ４が印加される。
　【００２７】
　電源基板５２には予備電源回路５７が搭載されており、予備電源回路５７はＤＣ／ＤＣ回路５６の出力側にダイオード５８を介して電気的に接続されている。この予備電源回路５７はコンデンサを主体に構成されたものであり、主電源Ｖｉｎの遮断時には予備電源回路５７から特別図柄始動センサ１６および払出しセンサ５１に設定時間Ｔだけ駆動電源Ｖｏｕｔ４´が印加される。
　【００２８】
　電源基板５２にはＤＣ／ＤＣ回路５９が搭載されている。このＤＣ／ＤＣ回路５９はＤＣ２４Ｖの直流電源Ｖｏｕｔ２をＤＣ５Ｖの駆動電源Ｖｏｕｔ５に変換するものであり、主電源Ｖｉｎの有効時にはＤＣ／ＤＣ回路５９からメイン回路基板１９のメイン制御装置２０，表示回路基板２４の表示制御装置２５，賞球回路基板４６の賞球制御装置４７に駆動電源Ｖｏｕｔ５が印加される。
　【００２９】
　電源基板５２には予備電源回路６０が搭載されており、予備電源回路６０はＤＣ／ＤＣ回路５９の出力側にダイオード６１を介して電気的に接続されている。この予備電源回路６０はコンデンサを主体に構成されたものであり、．主電源Ｖｉｎの遮断時には予備電源回路６０からメイン制御装置２０および賞球制御装置４６に駆動電源Ｖｏｕｔ５´が設定時間Ｔだけ印加される。
　【００３０】
　メイン回路基板１９にはバックアップ電源回路６２が搭載されている。このバックアップ電源６２は２個のダイオード６３とリチウム電池６４とを有するものであり、駆動電源Ｖｏｕｔ５および駆動電源Ｖｏｕｔ５´の有効時には一方のダイオード６３を通してメイン制御装置２０のＲＡＭ６５に駆動電源Ｖｏｕｔ５および駆動電源Ｖｏｕｔ５´が印加され、駆動電源Ｖｏｕｔ５および駆動電源Ｖｏｕｔ５´の遮断時にはリチウム電池６４から他方のダイオード６３を通してＲＡＭ６５にＤＣ３Ｖのバックアップ電源Ｖｏｕｔ６が印加される。
　【００３１】
　賞球回路基板４５にはバックアップ電源回路６６が搭載されている。このバックアップ電源６６は２個のダイオード６７とリチウム電池６８とを有するものであり、駆動電源Ｖｏｕｔ５および駆動電源Ｖｏｕｔ５´の有効時には一方のダイオード６７を通して賞球制御装置４６のＲＡＭ６９に駆動電源Ｖｏｕｔ５および駆動電源Ｖｏｕｔ５´が印加され、駆動電源Ｖｏｕｔ５および駆動電源Ｖｏｕｔ５´の遮断時にはリチウム電池６８から他方のダイオード６７を通してＲＡＭ６９にＤＣ３Ｖのバックアップ電源Ｖｏｕｔ６が印加される。尚、ＲＡＭ６５およびＲＡＭ６９は記録部に相当するものである。
　【００３２】
　電源基板５２には停電検出回路７０が搭載されている。この停電検出回路７０は主電源Ｖｉｎの電圧レベルを監視するものであり、主電源Ｖｉｎの電圧レベルが停電レベルに降下することに基づいてメイン制御装置２０および賞球制御装置４６に停電信号を与える。
　【００３３】
　電源基板５２にはリセット回路７１が搭載されている。このリセット回路７１は駆動電源Ｖｏｕｔ５の電圧レベルを監視するものであり、駆動電源Ｖｏｕｔ５の電圧レベルがリセットレベルに上昇することに基づいて表示制御装置２５，賞球制御装置４６，遅延回路７２にリセット信号を同時（パラレル）に与える。この遅延回路７２の出力端子はメイン制御装置２０の入力端子に電気的に接続されており、メイン制御装置２０には表示制御装置２５および賞球制御装置４６の起動後に遅延回路７２からリセット信号が与えられ、メイン制御装置２０は表示制御装置２５および賞球制御装置４６より遅れて起動する。
　【００３４】
　電源基板５２の後面には、図９に示すように、初期化スイッチ７３が搭載されており、初期化スイッチ７３は、図６に示すように、メイン制御装置２０の入力端子および賞球制御装置４６の入力端子に電気的に接続されている。この初期化スイッチ７３は前面扉２の開放状態で前方から操作されるものであり、初期化スイッチ７３の操作時には初期化スイッチ７３からメイン制御装置２０および賞球制御装置４６に初期化信号が出力される。
　【００３５】
　次に上記構成の作用について説明する。尚、下記動作はメイン制御装置２０，表示制御装置２５，賞球制御装置４６がＲＯＭに予め記録された制御プログラムに基づいて実行するものである。
　【００３６】
＜特図始動信号処理について＞
　初期化スイッチ７３の操作状態でメイン電源Ｖｉｎが投入されると、リセット回路７１から遅延回路７２を通してメイン制御装置２０にリセット信号が与えられ、メイン制御装置２０の始動処理部２１は図２の（ａ）のステップＳ１へ移行する。そして、初期化スイッチ７３からの初期化信号を検出し、ステップＳ２へ移行する。ここで、ＲＡＭ６５の大当りエリアに記録されているバックアップデータをクリアし、ステップＳ３へ移行する。
　【００３７】
　始動処理部２１はステップＳ３で特別図柄始動センサ１６からの特図始動信号を検出すると、ステップＳ４へ移行し、ＲＡＭ６５の大当りエリアに記録されているカウンタデータの組数を検出する。この大当りエリアは最大で５組のカウンタデータが記録されるものであり、始動処理部２１はカウンタデータが５組未満であることを検出すると、ステップＳ５へ移行する。
　【００３８】
　始動処理部２１はステップＳ５へ移行すると、カウンタデータに相当する大当りカウンタ値Ｎｏおよび図柄カウンタ値Ｎｚを取得する。これら大当りカウンタＮｏおよび図柄カウンタＮｚは「０」から異なる上限値に加算された後に「０」に戻って加算されるものであり、始動処理部２１は大当りカウンタ値Ｎｏおよび図柄カウンタ値Ｎｚを取得すると、ＲＡＭ６５の大当りエリアに大当りカウンタ値Ｎｏおよび図柄カウンタ値Ｎｚを記録し、ステップＳ６へ移行する。
　【００３９】
　始動処理部２１はステップＳ６で大当りエリアにカウンタデータが記録されていると判断すると、ステップＳ７へ移行する。ここで、大当りエリアの先頭のカウンタデータ（大当りカウンタ値Ｎｏおよび図柄カウンタ値Ｎｚ）を判定処理部２２に出力し、ステップＳ８へ移行する。
　【００４０】
　始動処理部２１はステップＳ８でデータクリア指令を検出すると、ステップＳ９へ移行する。このデータクリア指令は判定処理部２２から出力されるものであり、始動処理部２１はステップＳ９へ移行すると、大当りエリアの先頭のカウンタデータをクリアし、ステップＳ３に復帰する。そして、ステップＳ３〜Ｓ９を繰返すことに基づいてカウンタデータの記録，カウンタデータの出力，カウンタデータのクリアを実行する。
　【００４１】
＜大当り判定処理について＞
　初期化スイッチ７３の操作状態でメイン電源Ｖｉｎが投入されると、リセット回路７１から遅延回路７２を通してメイン制御装置２０にリセット信号が与えられ、メイン制御装置２０の判定処理部２２は図３の（ａ）のステップＳ１１へ移行する。そして、初期化スイッチ７３からの初期化信号を検出し、ステップＳ１２へ移行する。ここで、ＲＡＭ６５の判定エリアに記録されているバックアップデータをクリアし、ステップＳ１３へ移行する。
　【００４２】
　判定処理部２２はステップＳ１３で上述した始動処理部２１からのカウンタデータを検出すると、カウンタデータをＲＡＭ６５の判定エリアに記録する。そして、ステップＳ１４へ移行し、カウンタデータの大当りカウンタ値Ｎｏを大当り判定値と比較する。この大当り判定値はメイン制御装置２０のＲＯＭに予め記録されたものであり、両者が同一であると判断されたときにはＲＡＭ６５の判定エリアに大当りが記録され、両者が相違していると判断されたときには外れが記録される。
　【００４３】
　判定処理部２２は判定結果を記録すると、ステップＳ１５またはＳ１６へ移行し、カウンタデータの図柄カウンタ値Ｎｚに基づいて大当り図柄または外れ図柄を設定し、ステップＳ１７へ移行する。尚、大当り図柄は左列，中列，右列が同一な３個の組合わせ図柄を称するものである。また、外れ図柄は左列，中列，右列が相違する３個の組合わせ図柄を称するものである。
　【００４４】
　判定処理部２２はステップＳ１７へ移行すると、表示制御装置２５に図柄変動指令を出力する。すると、表示制御装置２５は特別図柄表示装置１４の各列の図柄を「０」→「１」→「２」……「８」→「９」→「０」→「１」……の順序で変動させる。
　【００４５】
　判定処理部２２は図柄変動指令を出力すると、ステップＳ１８へ移行し、ステップＳ１５の図柄設定結果またはステップＳ１６の図柄設定結果を表示制御装置２５に出力する。すると、表示制御装置２５は特別図柄表示装置１４の各列を設定図柄で変動停止させ、遊技者に大当りまたは外れを知らせる。
　【００４６】
　判定処理部２２は図柄設定結果（図柄停止指令）を出力すると、ステップＳ１９へ移行する。ここで、ＲＡＭ６５の判定エリアに大当りが記録されていないと判断すると、ステップＳ２４へ移行し、始動処理部２１に上述のデータクリア指令を出力することに基づいて処理済みのカウンタデータ（大当りエリアの先頭のカウンタデータ）をクリアさせる。また、ステップＳ１９で判定エリアに大当りが記録されていると判断すると、ステップＳ２０へ移行する。
　【００４７】
　判定処理部２２はステップＳ２０へ移行すると、ラウンドカウンタＮｒに設定値（例えば１５）をセットする（Ｎｒ←１５）。そして、ステップＳ２１へ移行し、大入賞口ソレノイド３１に駆動電源Ｖｏｕｔ３を設定時間だけ印加することに基づいて大入賞口２８を設定時間だけ開放する。この後、ステップＳ２２へ移行し、ラウンドカウンタ値Ｎｒから「１」を減算してステップＳ２３へ移行する。
　【００４８】
　判定処理部２２はステップＳ２３でラウンドカウンタ値Ｎｒが「０」でないと判断すると、ステップＳ２１に復帰し、ステップＳ２１〜２３を繰返す。この後、ラウンドカウンタ値Ｎｒが「０」まで減算されたと判断すると、ステップＳ２３からＳ２４へ移行し、始動処理部２１にデータクリア指令を出力することに基づいて処理済みのカウンタデータをクリアさせる。
　【００４９】
＜入賞信号処理について＞
　初期化スイッチ７３の操作状態でメイン電源Ｖｉｎが投入されると、リセット回路７１から遅延回路７２を通してメイン制御装置２０にリセット信号が与えられ、メイン制御装置２０の賞球処理部２３は図４の（ａ）のステップＳ３１へ移行する。そして、初期化スイッチ７３からの初期化信号を検出し、ステップＳ３２へ移行する。ここで、ＲＡＭ６５の賞球エリアに記録されているバックアップデータをクリアし、ステップＳ３３へ移行する。
　【００５０】
　賞球処理部２３はステップＳ３３で大入賞口センサ３３からの入賞信号を検出すると、ステップＳ３４へ移行する。ここで、「賞球カウンタＮａ←Ｎａ＋Ｃ１（例えば１５）」を実行することに基づいて賞球カウンタ値ＮａをＲＡＭ６５の賞球エリアに記録し、ステップＳ３７へ移行する。また、ステップＳ３５で特別図柄始動センサ１６からの特図始動信号を検出すると、ステップＳ３６へ移行する。ここで、「賞球カウンタＮａ←Ｎａ＋Ｃ２（例えば５）」を実行することに基づいて賞球カウンタ値ＮａをＲＡＭ６５の賞球エリアに記録し、ステップＳ３７へ移行する。
　【００５１】
　賞球処理部２３はステップＳ３７で「賞球カウンタ値Ｎａ≧１」を検出すると、ステップＳ３８へ移行し、フラグＦの状態を判断する。このフラグＦは起動時に「１」にセットされたり、後述のステップＳ４８で「１」にセットされるものであり、賞球処理部２３はステップＳ３８で「Ｆ＝１」を検出すると、ステップＳ３９で払出しカウンタＮｂに賞球カウンタ値Ｎａをセットする（Ｎｂ←Ｎａ）。そして、払出しカウンタ値ＮｂをＲＡＭ６５の賞球エリアに記録し、ステップＳ４０へ移行する。
　【００５２】
　賞球処理部２３はステップＳ４０へ移行すると、払出し確認カウンタＮｃに払出しカウンタ値Ｎｂをセットする（Ｎｃ←Ｎｂ）。そして、払出し確認カウンタ値ＮｃをＲＡＭ６５の賞球エリアに記録し、ステップＳ４１へ移行する。ここで、賞球制御装置４６の払出し処理部４７にパチンコ球Ｐの払出し指令および払出し数（＝払出しカウンタ値Ｎｂ）を出力し、フラグＦに「０」を投入して（Ｆ←０）ステップＳ４２へ移行する。
　【００５３】
　賞球処理部２３はステップＳ４２で払出しセンサ５１からの払出し信号を検出すると、ステップＳ４３へ移行する。ここで、賞球エリアの払出しカウンタ値Ｎｂから「１」を減算し（Ｎｂ←Ｎｂ−１）、ステップＳ４４へ移行する。この払出し信号は、上述したように、払出し装置３７から１個のパチンコ球Ｐが払出される毎に出力されるものであり、「Ｎｂ←Ｎｂ−１」の実行に基づいてパチンコ球Ｐの未払い数が計測される。
　【００５４】
　賞球処理部２３はステップＳ４４で払出し終了信号を検出すると、ステップＳ４５へ移行する。この払出し終了信号は、後述するように、払出し処理部４７が「Ｎｂ」個のパチンコ球Ｐを払出したことを確認することに基づいて出力するものであり、賞球処理部２３はステップＳ４５で賞球エリアの払出しカウンタ値Ｎｂが「０」に減算されていることを検出すると、自身の払出し情報と払出し処理部４７の払出し情報との整合性が取れていると判断し、ステップＳ４５からＳ４６へ移行する。
　【００５５】
　賞球処理部２３はステップＳ４５で賞球エリアの払出しカウンタ値Ｎｂが「０」に減算されていないと判断すると、自身の払出し情報と払出し処理部４７の払出し情報との整合性が取れていないと判断し、ステップＳ４７へ移行する。この賞球処理部２３の払出しカウンタ値Ｎｂおよび払出し処理部４７の払出し終了信号はメイン回路基板１９や賞球回路基板４５の不正交換等の違法行為がない限り整合するものであり、賞球処理部２３はステップＳ４７へ移行すると、不正行為があったと判断する。そして、パチンコホールのホストコンピュータ（図示せず）に異常信号を出力し、ステップＳ４６へ移行する。
　【００５６】
　賞球処理部２３はステップＳ４６へ移行すると、「賞球カウンタＮａ←Ｎａ−払出し確認カウンタＮｃ」を実行することに基づいてパチンコ球Ｐの未払い数を演算する。そして、ステップＳ４８でフラグＦに「１」を投入し（Ｆ←１）、ステップ３３に復帰する。従って、特別図柄始動口１５内および大入賞口２８内にパチンコ球Ｐが入球する毎に賞球エリアの賞球カウンタ値Ｎａに設定値Ｃ１およびＣ２が加算され、パチンコ球Ｐの払出し動作が停止しているとき（Ｆ＝１のとき）に払出し指令および払出し数Ｎｂが出力される。これと共に、払出し処理部４７から払出し終了信号が出力される毎に賞球エリアの賞球カウンタＮａが減算され、最新の払出し個数Ｎａが演算される。
　【００５７】
＜賞球払出し処理について＞
　初期化スイッチ７３の操作状態でメイン電源Ｖｉｎが投入されると、リセット回路７１から賞球制御装置４６にリセット信号が与えられる。すると、賞球制御装置４６の払出し処理部４７はメイン制御装置２０の始動処理部２１，判定処理部２２，賞球処理部２３に先立って起動し、図５の（ａ）のステップＳ５１へ移行する。ここで、初期化スイッチ７３からの初期化信号を検出し、ステップＳ５２へ移行する。そして、ＲＡＭ６９の払出しエリアに記録されているバックアップデータをクリアし、ステップＳ５３へ移行する。
　【００５８】
　払出し処理部４７は賞球処理部２３から出力される上述の払出し指令および払出し数（払出しカウンタ値Ｎｂ）をステップＳ５３で検出すると、ステップＳ５４へ移行する。ここで、払出し実行カウンタＮｂ´に払出しカウンタ値Ｎｂを投入（Ｎｂ´←Ｎｂ）することに基づいて払出し実行カウンタＮｂ´をセットし、ＲＡＭ６９の払出しエリアに記録する。
　【００５９】
　払出し処理部４７は払出し実行カウンタＮｂ´をセットすると、ステップＳ５５へ移行し、球払出しモータ４３に駆動電源Ｖｏｕｔ３を印加することに基づいて球払出しモータ４３の回転軸を単位量だけ駆動する。そして、ステップＳ５６で払出しセンサ５１からの払出し信号を検出すると、１個のパチンコ球Ｐが払出されたことを確認し、ステップＳ５７へ移行する。ここで、払出しエリアの払出し実行カウンタ値Ｎｂ´から「１」を減算する（Ｎｂ´←Ｎｂ´−１）ことに基づいてパチンコ球Ｐの未払い数を演算し、ステップＳ５８へ移行する。
　【００６０】
　払出し処理部４７はステップＳ５８で「払出し実行カウンタＮｂ´＝０」を検出すると、パチンコ球Ｐの払出し動作が終了したと判断する。そして、ステップＳ５９へ移行し、メイン制御装置２０の賞球処理部２３に上述の払出し終了信号を出力してステップＳ５３に復帰する。従って、払出し処理部４７が払出し動作の停止時に賞球処理部２３からの払出し指令および払出し数Ｎｂを検出し、払出し動作の終了後に次の払出し指令および払出し数Ｎｂを検出することになる。
　【００６１】
＜停電時の特図始動信号処理について＞
　遊技中に停電が発生したときには停電検出回路７０からメイン制御装置２０に停電信号が出力される。すると、メイン制御装置２０の始動処理部２１は図２の（ｂ）のステップＳ６１へ移行する。ここで、特別図柄始動センサ１６からの特図始動信号がないことを検出すると、ステップＳ６４へ移行し、設定時間Ｔの経過を判断する。この設定時間Ｔは予備電源回路５７から特別図柄始動センサ１６および払出しセンサ５１に予備電源Ｖｏｕｔ４´が印加される時間に相当するものであり、始動処理部２１はステップＳ６４で設定時間Ｔが経過していないと判断すると、ステップＳ６１に復帰し、ステップＳ６１およびＳ６４を繰返す。
　【００６２】
　始動処理部２１はステップＳ６１およびＳ６４を繰返す間に特図始動信号を検出すると、ステップＳ６１からＳ６２へ移行する。ここで、ＲＡＭ６５の大当りエリアのカウンタデータの記録数が５個であることを検出すると、処理を終える。また、カウンタデータの記録数が４個以下であることを検出すると、ステップＳ６３へ移行し、特図始動信号の検出タイミングで大当りカウンタ値および図柄カウンタ値を取得し、大当りエリアに記録する。従って、メイン制御装置２０の予備電源Ｖｏｕｔ５´が遮断された後にはＲＡＭ６５の大当りエリアに停電直前のカウンタデータが保管される。
　【００６３】
＜停電時の大当り判定処理について＞
　遊技中に停電が発生したときには停電検出回路７０からメイン制御装置２０に停電信号が出力される。このとき、ＲＡＭ６５の判定エリアにカウンタデータおよびラウンドカウンタ値Ｎｒが記録されていると、当該カウンタデータおよびラウンドカウンタ値Ｎｒが予備電源Ｖｏｕｔ５´の遮断後に保管される。
　【００６４】
＜停電時の入賞信号処理について＞
　遊技中に停電が発生したときには停電検出回路７０からメイン制御装置２０に停電信号が出力される。すると、メイン制御装置２０の賞球処理部２３は図４の（ｂ）のステップＳ７１へ移行する。ここで、払出しセンサ５１からの払出し信号がないことを検出すると、ステップＳ７２へ移行する。そして、特別図柄始動センサ１６からの特図始動信号がないことを検出すると、ステップＳ７７へ移行する。
　【００６５】
　賞球処理部２３はステップＳ７７で設定時間Ｔが経過していないと判断すると、ステップＳ７１に復帰し、Ｓ７１，Ｓ７２，Ｓ７７を繰返す。この設定時間Ｔ（特別図柄始動センサ１６および払出しセンサ５１に対する予備電源Ｖｏｕｔ４´の印加時間）は払出し装置３７のスプロケット４０から落下するパチンコ球Ｐが払出しセンサ５１に到達する時間より若干長く設定されたものであり、スプロケット４０が停電直前にパチンコ球Ｐを放出したときには当該パチンコ球Ｐが設定時間Ｔの範囲内で払出しセンサ５１に到達し、払出しセンサ５１から払出し信号が出力される。
　【００６６】
　賞球処理部２３はステップＳ７１で払出し信号を検出すると、ステップＳ７３へ移行し、「払出しカウンタＮｂ←Ｎｂ−１」を実行することに基づいてＲＡＭ６５の賞球エリアに記録されている払出しカウンタ値Ｎｂを書換え、停電直前にスプロケット４０から放出されたパチンコ球Ｐを計測する。そして、ステップＳ７４で「Ｎｂ＝０」を検出したときにはステップＳ７５へ移行し、「Ｎａ←Ｎａ−Ｎｃ」を実行することに基づいてＲＡＭ６５の賞球エリアに記録されている賞球カウンタ値Ｎａを書換える。
　【００６７】
　賞球処理部２３は設定時間Ｔの経過前に特別図柄始動センサ１６からの特図始動信号を検出すると、ステップＳ７２からＳ７６へ移行し、「賞球カウンタ値Ｎａ←Ｎａ＋Ｃ２」を実行することに基づいて賞球カウンタ値Ｎａを書換える。従って、メイン制御装置２０の予備電源Ｖｏｕｔ５´が遮断された後にはＲＡＭ６５の賞球エリアに停電直前の賞球カウンタ値Ｎａ，払出しカウンタ値Ｎｂ，払出し確認カウンタ値Ｎｃが保管される。
　【００６８】
＜停電時の払出し処理について＞
　遊技中に停電が発生したときには停電検出回路７０から賞球制御装置４６に停電信号が出力される。すると、賞球制御装置４６の払出し処理部４７は図５の（ｂ）のステップＳ８１へ移行する。
　【００６９】
　払出し処理部４７はステップＳ８１で払出しセンサ５１からの払出し信号がないことを検出すると、ステップＳ８３へ移行する。ここで、設定時間Ｔが経過していないと判断すると、ステップＳ８１およびＳ８３を繰返す。この設定時間Ｔは、上述したように、払出し装置３７から放出されたパチンコ球Ｐが払出しセンサ５１に到達する時間より若干長く設定されたものであり、払出し装置３７が停電直前にパチンコ球Ｐを放出したときには当該パチンコ球Ｐが設定時間Ｔの範囲内で払出しセンサ５１に到達し、払出しセンサ５１から払出し信号が出力されることになる。
　【００７０】
　払出し処理部４７はステップＳ８１で払出し信号を検出すると、ステップＳ８２へ移行し、「払出し実行カウンタＮｂ´←Ｎｂ´−１」を実行することに基づいてＲＡＭ６９の払出しエリアに記録されている払出し実行カウンタ値Ｎｂ´を書換え、停電直前に払出し装置３７から放出されたパチンコ球Ｐを計測する。従って、メイン制御装置２０の予備電源Ｖｏｕｔ５´および賞球制御装置４６の予備電源Ｖｏｕｔ５´が遮断された後にはメイン制御装置２０のＲＡＭ６５および賞球制御装置４６のＲＡＭ６９に整合性が取れた同一の払出し情報（払出しカウンタ値Ｎｂおよび払出し実行カウンタ値Ｎｂ´）が保管される。
　【００７１】
＜停電復旧時の特図始動信号処理について＞
　停電の復旧時にリセット回路７１から遅延回路７２を通してメイン制御装置２０にリセット信号が与えられると、メイン制御装置２０の始動処理部２１は図２の（ａ）のステップＳ１へ移行する。ここで、初期化スイッチ７３の非操作を検出し、ＲＡＭ６５の大当りエリアをクリアせずにステップＳ３へ移行する。従って、大当りエリアに停電直前のカウンタデータが記録されているときにはステップＳ７で当該カウンタデータが判定処理部２２に出力され、大当りエリアにカウンタデータが記録されていないときには特図始動信号の検出タイミングでカウンタデータが取得され、判定処理部２２に出力される。
　【００７２】
＜停電復旧時の大当り判定処理について＞
　停電の復旧時にリセット回路７１から遅延回路７２を通してメイン制御装置２０にリセット信号が与えられると、メイン制御装置２０の判定処理部２２は図３の（ａ）のステップＳ１１へ移行する。ここで、初期化スイッチ７３の非操作を検出し、ステップＳ２５の停電復旧処理へ移行する。そして、ＲＡＭ６５の判定エリアにカウンタデータが記録されているときには、図３の（ｂ）のステップＳ９１で当該カウンタデータをクリアし、ステップＳ９２へ移行する。
　【００７３】
　判定処理部２２はステップＳ９２でＲＡＭ６５の判定エリアにラウンドカウンタ値Ｎｒが記録されていないと判断したときには停電復旧処理を終え、図３の（ａ）のステップＳ１３へ移行する。従って、始動処理部２１から出力される停電直前のカウンタデータまたは停電復旧後の新たなカウンタデータに基づいて大当りの判定動作，図柄の設定動作が行われる。
　【００７４】
　判定処理部２２は図３の（ｂ）のステップＳ９２でＲＡＭ６５の判定エリアにラウンドカウンタ値Ｎｒが記録されていると判断すると、ステップＳ９３へ移行する。そして、大入賞口ソレノイド３１を駆動することに基づいて大入賞口２８を開放し、ステップＳ９４へ移行する。
　【００７５】
　判定処理部２２はステップＳ９４でラウンドカウンタ値Ｎｒから「１」を減算すると、ステップＳ９５で「ラウンドカウンタ値Ｎｒ＝０」を検出することに基づいて停電復旧処理を終え、図３の（ａ）のステップＳ１３へ移行する。従って、始動処理部２１から出力される停電直前のカウンタデータまたは停電復旧後の新たなカウンタデータに基づいて大当りの判定動作，図柄の設定動作が行われることになる。
　【００７６】
＜停電復旧時の入賞信号処理について＞
　停電の復旧時にリセット回路７１から遅延回路７２を通してメイン制御装置２０にリセット信号が与えられると、メイン制御装置２０の賞球処理部２３はフラグＦに「１」を投入し、図４の（ａ）のステップＳ３１へ移行する。ここで、初期化スイッチ７３の非操作を検出し、ステップＳ４９の停電復旧処理へ移行する。そして、図４の（ｃ）のステップＳ１０１でＲＡＭ６５の賞球エリアから払出しカウンタ値Ｎｂを読出し、「払出しカウンタ値Ｎｂ＝０」を検出したときには停電復旧処理を終える。
　【００７７】
　賞球処理部２３は停電復旧処理を終えると、図４の（ａ）のステップＳ３３へ移行する。従って、ステップＳ３７で「賞球カウンタ値Ｎａ≧１」が検出されたときには停電直前の賞球カウンタ値Ｎａに基づいて払出しカウンタ値Ｎｂおよび払出し確認カウンタ値Ｎｃがセットされ、賞球制御装置４６の払出し処理部４７に払出し指令および払出しカウンタ値Ｎｂが出力される。また、ステップＳ３７で「賞球カウンタ値Ｎａ＝０」が検出されたときにはステップＳ３３およびＳ３５で入賞信号および特図始動信号が検出されることに基づいて払出し処理部４７に払出し指令および払出しカウンタ値Ｎｂが出力される。
　【００７８】
　賞球処理部２３は図４の（ｃ）のステップＳ１０１で「払出しカウンタ値Ｎｂ≧１」を検出すると、ステップＳ１０２で払出し処理部４７に払出し指令を出力し、フラグＦに「０」を投入する（Ｆ←０）。そして、停電復旧処理を終え、図４の（ａ）のステップＳ３３へ移行する。
　【００７９】
＜停電復旧時の払出し処理について＞
　停電の復旧時にリセット回路７１から賞球制御装置４６にリセット信号が与えられると、賞球制御装置４６の払出し処理部４７は図５の（ａ）のステップＳ５１へ移行する。ここで、初期化スイッチ７３の非操作を検出し、ＲＡＭ６９の払出しエリアをクリアせずにステップＳ５３へ移行する。
　【００８０】
　払出し処理部４７はステップＳ５３で賞球処理部２３からの払出し指令を検出すると、ステップＳ５４で払出しエリアの払出し実行カウンタ値Ｎｂ´をセットし、ステップＳ５５で球払出しモータ４３を駆動する。そして、ステップＳ５６で払出しセンサ５１からの払出し信号を検出したときにはステップＳ５７で払出し実行カウンタ値Ｎｂ´から「１」を減算し、ステップＳ５８で「払出し実行カウンタ値Ｎｂ´＝０」を検出したときにはステップＳ５９で払出し終了信号を出力する。
　【００８１】
　このとき、賞球処理部２３は図４の（ａ）のステップＳ４２で払出しセンサ５１からの払出し信号を検出し、ステップＳ４３で払出しカウンタ値Ｎｂを減算する。そして、ステップＳ４４で払出し処理部４７からの払出し終了信号を検出したときにはステップＳ４５へ移行し、払出しカウンタ値Ｎｂを「０」と比較することに基づいて自身の払出し情報と払出し処理部４７の払出し情報との整合性をチェックする。
　【００８２】
　上記実施例によれば、停電時にメイン制御装置２０の払出しカウンタ値Ｎｂおよび賞球制御装置４６の払出し実行カウンタ値Ｎｂ´を別個のＲＡＭ６５およびＲＡＭ６９に保管した。このため、停電復旧時に賞球制御装置４６のＲＡＭ６９から停電直前の払出し実行カウンタ値Ｎｂ´を読出し、停電直前の払出し実行カウンタ値Ｎｂ´に基づいて払出し装置３７を駆動制御できるので、停電に影響されることなく正確な個数のパチンコ球Ｐが払出される。
　【００８３】
　また、停電復旧時にメイン制御装置２０の払出しカウンタ値Ｎｂが「０」になるタイミングで賞球制御装置４６から払出し終了信号が出力されるか否かをチェックすることに基づいてメイン制御装置２０の払出しカウンタ値Ｎｂと賞球制御装置４６の払出し実行カウンタ値Ｎｂ´との整合性を判断したので、メイン制御装置２０の払出しカウンタ値Ｎｂや賞球制御装置４６の払出し実行カウンタ値Ｎｂ´が停電中に不正改竄されたことを簡単に発見できる。
　【００８４】
　また、メイン制御装置２０および賞球制御装置４６をメイン回路ボックス１８内および賞球回路ボックス４４内に収納した。このため、メイン制御装置２０および賞球制御装置４６に手を触れ難くなるので、メイン制御装置２０および賞球制御装置４６を不正に改竄し難くなる。
　また、メイン制御装置２０のＲＡＭ６５および賞球制御装置４６のＲＡＭ６９をメイン回路ボックス１８内および賞球回路ボックス４４内に収納された別個のものから構成した。このため、ＲＡＭ６５およびＲＡＭ６９に手を触れ難くなるので、ＲＡＭ６５およびＲＡＭ６９を不正に改竄し難くなる。
　【００８５】
　尚、上記実施例においては、払出しカウンタ値Ｎｂが「０」になるタイミングで払出し終了信号が出力されるか否に基づいて払出しカウンタ値Ｎｂおよび払出し実行カウンタ値Ｎｂ´の整合性をチェックしたが、これに限定されるものではなく、例えば払出しカウンタ値Ｎｂおよび払出し実行カウンタ値Ｎｂ´を直接的に比較することに基づいて両者の整合性をチェックしても良い。
　【００８６】
　また、上記実施例においては、メイン制御装置２０が払出しカウンタ値Ｎｂおよび払出し実行カウンタ値Ｎｂ´の整合性をチェックするように構成したが、これに限定されるものではなく、例えば賞球制御装置４６が両者の整合性をチェックするように構成しても良い。
　【００８７】
　また、上記実施例においては、払出しセンサ５１を払出し装置３７の球通路３９内に配設したが、これに限定されるものではなく、例えば払出し装置３７と上皿４とを繋ぐ球通路４９内に配設しても良い。
　【００８８】
　また、上記実施例においては、主電源Ｖｉｎの遮断時にメイン制御装置２０および賞球制御装置４６に予備電源Ｖｏｕｔ５´を印加し、特別図柄始動センサ１６および払出しセンサ５１に予備電源Ｖｏｕｔ４´を印加したが、これに限定されるものではなく、例えばメイン制御装置２０，賞球制御装置４６，特別図柄始動センサ１６，払出しセンサ５１を主電源Ｖｉｎの遮断と同時に駆動停止させても良い。
　【００８９】
　また、上記実施例においては、特別図柄始動口１５内に特別図柄始動センサ１６を配設したが、これに限定されるものではなく、例えば特別図柄始動口１５内に入球したパチンコ球を機外へ排出する裏樋内に配設しても良い。この構成の場合、パチンコ球Ｐが特別図柄始動口１５内を通過することに基づいて特別図柄始動センサ１６から特図始動信号が出力されることになる。
　【００９０】
　また、上記実施例においては、大当りカウンタ値Ｎｏ，図柄カウンタ値Ｎｚ，ラウンドカウンタ値Ｎｒ，賞球カウンタ値Ｎａ，払出しカウンタ値Ｎｂ，払出し確認カウンタ値Ｎｃをメイン制御装置２０のＲＡＭ６５に保管したが、これに限定されるものではなく、例えばメイン回路基板１９にバックアップ専用のＲＯＭを搭載し、大当りカウンタ値Ｎｏ〜払出し確認カウンタ値Ｎｃを当該ＲＯＭに保管しても良い。
　【００９１】
　また、上記実施例においては、払出し実行カウンタ値Ｎｂ´を賞球制御装置４６のＲＡＭ６９に保管したが、これに限定されるものではなく、例えば賞球回路基板４５にバックアップ専用のＲＯＭを搭載し、払出し実行カウンタ値Ｎｂ´を当該ＲＯＭに保管しても良い。
　【００９２】
　また、上記実施例においては、メイン制御装置２０および賞球制御装置４６が払出し情報としてパチンコ球Ｐの未払い数ＮｂおよびＮｂ´を演算するように構成したが、これに限定されるものではなく、例えばパチンコ球Ｐの支払い済数を演算するように構成しても良い。
　【００９３】
　また、上記実施例においては、メイン制御装置２０の払出しカウンタ値Ｎｂおよび賞球制御装置４６の払出し実行カウンタ値Ｎｂ´を別個のＲＡＭ６５および６９に保管したが、これに限定されるものではなく、例えば単一のＲＡＭにメイン制御装置２０用のバックアップ領域および賞球制御装置４６用のバックアップ領域を設け、メイン制御装置２０の払出しカウンタ値Ｎｂおよび賞球制御装置４６の払出し実行カウンタ値Ｎｂ´をメイン制御装置２０用のバックアップ領域および賞球制御装置４６用のバックアップ領域に保管しても良い。
　【００９４】
　また、上記実施例においては、大当りの発生に連動して大当り動作が行われる１種のパチンコ機に本発明を適用したが、これに限定されるものではなく、例えば３種のパチンコ機に適用しても良い。このパチンコ機は大当りの発生に連動して特別入賞口が開放されるものであり、特別入賞口の開放時に特別入賞口内にパチンコ球が入球することに基づいて大当り動作が行われる。この場合、ポケット状の特別図柄始動口１５に変えて上下面が開口するコ字枠状の特別図柄始動ゲートを用い、パチンコ球Ｐが特別図柄始動ゲート内を通過することに基づいて特別図柄始動センサ１６から特図始動信号が出力されるようにすると良い。
　【００９５】
　また、上記実施例においては、大当りの発生に連動して大当り動作が行われる１種のパチンコ機に本発明を適用したが、これに限定されるものではなく、例えば２種のパチンコ機に適用しても良い。このパチンコ機はパチンコ球が入賞口内に入賞したり、コ字枠状の入賞ゲート内を通過することに基づいて電動式の役物が開放されるものであり、役物の開放時に役物内の特別入賞口にパチンコ球が入球することに基づいて大当り動作が行われる。
　【００９６】
　【発明の効果】
　以上の説明から明らかなように、本発明のパチンコ機は次の効果を奏する。
　請求項１記載の手段によれば、主電源の遮断時にメイン制御手段の払出し情報およびサブ制御手段の払出し情報を別個の記録部に保管した。このため、停電復旧時に一方の記録部から停電直前の払出し情報を読出し、停電直前の払出し情報に基づいて払出し装置を駆動制御できるので、停電に影響されることなく正確な個数のパチンコ球が払出される。
　【００９７】
【図面の簡単な説明】
　【図１】
　本発明の一実施例を示す図（電源の供給経路等を示すブロック図）
　【図２】
　始動処理部の処理内容を示すフローチャート（ａは特図始動信号処理を示すフローチャート、ｂは停電処理を示すフローチャート）
　【図３】
　判定処理部の処理内容を示すフローチャート（ａは大当り判定処理を示すフローチャート、ｂは停電復旧処理を示すフローチャート）
　【図４】
　賞球処理部の処理内容を示すフローチャート（ａは入賞信号処理を示すフローチャート、ｂは停電処理を示すフローチャート、ｃは停電復旧処理を示すフローチャート）
　【図５】
　払出し処理部の処理内容を示すフローチャート（ａは払出し処理を示すフローチャート、ｂは停電処理を示すフローチャート）
　【図６】
　電気的構成を示すブロック図
　【図７】
　払出し装置の内部構成を示す図
　【図８】
　全体構成を示す前面図
　【図９】
　全体構成を示す後面図
　【符号の説明】
　Ｐはパチンコ球、４は上皿、１８はメイン回路ボックス（ボックス）、２０はメイン制御装置（メイン制御手段）、３７は払出し装置、４４は賞球回路ボックス（ボックス）、４６は賞球制御装置（サブ制御手段）、５１は払出しセンサ、６５はＲＡＭ（記録部）、６９はＲＡＭ（記録部）を示す。